(57)【要約】【課題】  照明効率を低下させずに，任意の変形照明を所望の方向の直線偏光で構成すると共に、直線偏光の偏光度が悪化した場合にこれを簡易に修正することが可能な照明装置、それを有する露光装置、及び、当該露光装置を利用したデバイス製造方法を提供する。【解決手段】  光源からの光を用いてパターンが形成されたマスクを照明する照明装置であって、前記マスクを変形照明するための有効光源分布を生成する生成部と、前記有効光源分布に所定の偏光状態を設定する偏光設定部とを有し、当該偏光設定部は位相を変換する位相変換部を含むことを特徴とする照明装置を提供する。【選択図】      図１
2005268489.tif 000002
【特許請求の範囲】
【請求項１】
光源からの光を用いてパターンが形成されたマスクを照明する照明装置であって、
前記マスクを変形照明するための有効光源分布を生成する生成部と、
前記有効光源分布に所定の偏光状態を設定する偏光設定部とを有し、
当該偏光設定部は位相を変換する位相変換部を含むことを特徴とする照明装置。
【請求項２】
光源からの光を用いてパターンが形成されたマスクを照明する照明装置であって、
前記マスクを変形照明するための有効光源分布を生成する生成部と、
前記有効光源分布内の複数の領域に所定の偏光状態を設定する偏光設定部と、
前記複数の領域の各偏光状態を一括して調整する調整部を含むことを特徴とする照明装置。
【請求項３】
前記生成部は、回折光学素子を含むことを特徴とする請求項１又は２記載の照明装置。
【請求項４】
前記回折光学素子は、計算機ホログラムであることを特徴とする請求項３記載の照明装置。
【請求項５】
前記生成部は、
それぞれ異なる有効光源分布を生成可能な複数の光学素子と、
当該複数の光学素子の位置を選択する手段とを有することを特徴とする請求項１又は２記載の照明装置。
【請求項６】
前記位相調整部は、共軸の少なくとも４枚以上の放射状に配置されたλ／４位相板を含むことを特徴とする請求項１又は２記載の照明装置。
【請求項７】
前記生成部に、円偏光とした光束を入射する導入部を更に有することを特徴とする請求項１又は２記載の照明装置。
【請求項８】
前記照明装置は、光源からの光束を所定の発散角度で射出し、前記マスクと共役な面を均一に照明するための射出角度保存部とを更に有し、
前記回折光学素子は、前記射出角度保存部の集光位置近傍に配置されていることを特徴とする請求項３記載の照明装置。
【請求項９】
前記照明装置は、光源からの光束を所定の発散角度で射出する第１及び第２の射出角度保存部とを更に有し、
当該第１の射出角度保存部の射出面と、前記第２の射出角度保存部の入射面とは光学的にフーリエ変換の関係にあり、
前記第１の射出角度保存部は、前記第２の射出角度保存部を均一に照明し、前記第２の射出角度保存部は前記マスクと共役な面を均一に照明し、
前記回折光学素子は、前記第２の射出角度保存部の集光位置近傍に配置されていることを特徴とする請求項３記載の照明装置。
【請求項１０】
前記調整部は、
前記生成部に導入される光束の位相を調整する第１の調整部と、
前記偏光設定部が設定した偏光度を検出する検出部と、
当該検出部の検出結果に応じて前記位相調整部が調節する位相を調整する第２の調整部とを有することを特徴とする請求項２記載の照明装置。
【請求項１１】
前記生成部よりも前記光源側に配置され、前記光源からの前記光の偏光を制御する偏光制御部を更に有することを特徴とする請求項１又は２記載の照明装置。
【請求項１２】
光源からの光を用いてパターンが形成されたマスクを照明する照明方法であって、
前記マスクを変形照明するための有効光源分布を生成するステップと、
前記有効光源分布内の複数の領域に所定の偏光状態を対称に設定するステップと、
前記複数の領域の各偏光状態を一括して調整するステップと、
前記設定ステップが設定した偏光度を検出するステップと、
前記検出ステップの結果に応じて前記生成ステップが使用する光の偏光を調節するステップとを含むことを特徴とする方法。
【請求項１３】
前記生成ステップは複数種類の有効光源分布の中から一を選択し、
前記偏光を調節ステップは、前記有効光源分布が切り替わる毎に行われることを特徴とする請求項１２記載の方法。
【請求項１４】
請求項１乃至１１記載の照明装置を有することを特徴とする露光装置。
【請求項１５】
請求項１４記載の露光装置を用いて被処理体を露光するステップと、
前記露光された前記被処理体を現像するステップとを有するデバイス製造方法。
【発明の詳細な説明】
【技術分野】
【０００１】
本発明は、照明装置に関し、特に、半導体ウェハ用の単結晶基板、液晶ディスプレイ用のガラス基板などの被処理体を露光する照明装置、露光装置及びデバイス製造方法に関する。
【背景技術】
【０００２】
近年の電子機器の小型化及び薄型化の要請から、電子機器に搭載される半導体素子の微細化への要求はますます高くなっている。半導体素子や液晶表示装置、薄膜磁気ヘッド等集積度の高いデバイスを作製するには、一般に、フォトリソグラフィーの工程が用いられる。かかる工程に欠かせない装置として、フォトマスク（レチクル）上に描かれているパターンをフォトレジストが塗布されているシリコンウェハやガラスプレート等の基板上に露光する投影露光装置がある。
【０００３】
投影露光装置の解像度Ｒは、露光光源の波長λ、投影光学系の開口数（ＮＡ）及び現像プロセスなどによって定まるプロセス定数ｋ１を用いて次式で与えられる。
【０００４】
【数１】
2005268489.tif 000003
【０００５】
従って、波長を短くすればするほど、及び、ＮＡを上げれば上げるほど、解像度はよくなる。しかし、短波長が進むにつれて硝材の透過率が低下するために短波長化が困難であること、ＮＡに反比例して焦点深度が小さくなること、大きなＮＡはレンズの設計及び製造を困難にすること等の問題がある。
【０００６】
そこで、プロセス定数ｋ１の値を小さくすることにより微細化を図る超解像技術（ＲＥＴ：Ｒｅｓｏｌｕｔｉｏｎ  Ｅｎｈａｎｃｅｄ  Ｔｅｃｎｏｌｏｇｙ）が近年提案されている。ＲＥＴの１つに変形照明法（斜入射照明法、Ｏｆｆ−Ａｘｉｓ照明法などと呼ばれる場合もある）と呼ばれるものがある。変形照明法は、光学系の光軸上に遮光板のある開口絞りを、均一な面光源を作るライトインテグレータの射出面近傍に配置して、マスクに露光光束を斜めに入射させる方法が一般的である。変形照明法は、開口絞りの形状により、輪帯照明法、四重極照明法などがある。
【０００７】
一方、像コントラストを高めるために変形照明を所望の方向の直線偏光のみで構成することが従来から提案されている（例えば、特許文献１及び２）。特許文献１では、所望の偏光方向とは異なる光をフィルタで除去している。一方、特許文献２は、前もって直線偏光子で直線偏光化した光束を用いてλ／２位相板を配置することで所望の方向の直線偏光とする方式を開示している。
【特許文献１】特開平７−１８３２０１号公報
【特許文献２】特開平６−０５３１２０号公報
【発明の開示】
【発明が解決しようとする課題】
【０００８】
しかし、特許文献１は、所望の偏光方向以外の光を除去しているので照明効率が悪く、スループットの低下を招く。また、特許文献２は、照明光学系を構成する光学素子によって生じる位相ズレがあると、λ／２位相板を通過した光束は直線偏光とならずに楕円偏光となり、これにより像コントラストが低下するという問題がある。
【０００９】
そこで、照明効率を低下させずに，任意の変形照明を所望の方向の直線偏光で構成すると共に、直線偏光の偏光度が悪化した場合にこれを簡易に修正することが可能な照明装置、それを有する露光装置、及び、当該露光装置を利用したデバイス製造方法を提供することを例示的な目的とする。
【課題を解決するための手段】
【００１０】
本発明の一側面としての照明装置は、光源からの光を用いてパターンが形成されたマスクを照明する照明装置であって、前記マスクを変形照明するための有効光源分布を生成する生成部と、前記有効光源分布に所定の偏光状態を設定する偏光設定部とを有し、当該偏光設定部は位相を変換する位相変換部を含むことを特徴とする。
【００１１】
本発明の別の側面としての照明装置は、光源からの光を用いてパターンが形成されたマスクを照明する照明装置であって、前記マスクを変形照明するための有効光源分布を生成する生成部と、前記有効光源分布内の複数の領域に所定の偏光状態を設定する偏光設定部と、前記複数の領域の各偏光状態を一括して調整する調整部を含むことを特徴とする。
【００１２】
上記照明装置を有する露光装置、及び、上記露光装置を利用して被処理体を露光するステップと、前記露光された前記被処理体を現像するステップとを有するデバイス製造方法も本発明の一側面を構成する。上述の露光装置の作用と同様の作用を奏するデバイス製造方法の請求項は、中間及び最終結果物であるデバイス自体にもその効力が及ぶ。また、かかるデバイスは、ＬＳＩやＶＬＳＩなどの半導体チップ、ＣＣＤ、ＬＣＤ、磁気センサ、薄膜磁気ヘッドなどを含む。
【００１３】
本発明の更なる目的又はその他の特徴は、以下添付図面を参照して説明される好ましい実施例によって明らかにされるであろう。
【発明の効果】
【００１４】
本発明によれば、照明効率を低下させずに，任意の変形照明を所望の方向の直線偏光で構成すると共に、直線偏光の偏光度が悪化した場合にこれを簡易に修正することが可能な照明光学系、及び、それを有する露光装置、並びに、当該露光装置を利用したデバイス製造方法を提供することができる。
【発明を実施するための最良の形態】
【００１５】
以下、本発明の一実施形態の照明装置１００を備えた露光装置１について、添付図面を参照して説明する。ここで、図１は、露光装置１の概略ブロック図である。露光装置１００は、例えば、ステップ・アンド・スキャン方式やステップ・アンド・リピート方式でマスク１５２に形成された回路パターンを被露光体（プレート）４００に露光する投影露光装置である。露光装置１は、サブミクロンやクオーターミクロン以下のリソグラフィ工程に好適であり、以下、本実施形態では、ステップ・アンド・スキャン方式の露光装置（「スキャナー」とも呼ばれる。）を例に説明する。ここで、「ステップ・アンド・スキャン方式」とは、マスクに対してウェハを連続的にスキャン（走査）してマスクパターンをウェハに露光すると共に、１ショットの露光終了後、ウェハをステップ移動して、次の露光領域に移動する露光方法である。「ステップ・アンド・リピート方式」とは、ウェハの一括露光ごとにウェハをステップ移動して次のショットの露光領域に移動する露光方法である。
【００１６】
露光装置１は、照明装置１００と、マスク２００と、投影光学系３００と、プレート４００とを有する。
【００１７】
照明装置１００は、転写用の回路パターンが形成されたマスク２００を照明し、光源１０２と、照明光学系（１０４乃至１７７）と、制御系（１１８、１７６、１７８及び１８０）とを有する。
【００１８】
光源１０２は、例えば、波長約１９３ｎｍのＡｒＦエキシマレーザー、波長約２４８ｎｍのＫｒＦエキシマレーザーなどを使用することができる。但し、レーザーの種類はエキシマレーザーに限定されず、レーザーの個数も限定されない。また、光源１０２に使用可能な光源はレーザーに限定されるものではなく、一又は複数の水銀ランプやキセノンランプなどのランプも使用可能である。
【００１９】
照明光学系は、所定の照度を確保しつつ所望の直線偏光で構成される変形照明でマスク２００を照明する光学系であり、引き回し光学系１０４と、ビーム成形光学系１０６と、偏光制御手段１０８と、位相調整手段１１０と、射出角度保存光学素子１２０と、リレー光学系１２４と、多光束発生手段１３０と、回折光学素子１４０と、リレー光学系１５０と、アパーチャ１５２と、ズーム光学系１６と、位相変換素子１６０と、多光束発生手段１７０と、開口絞り１７２と、照射手段１７７とを含む。
【００２０】
引き回し光学系１１０は、光源１０２からの光束を偏向してビーム成形光学系１０６に導光する。ビーム整形光学系１０６は、例えば、複数のシリンドリカルレンズを備えるビームエクスパンダ等を使用することができ、レーザー光源からの平行光の断面形状の寸法の縦横比率を所望の値に変換する（例えば、断面形状を長方形から正方形にするなど）ことによりビーム形状を所望のものに成形する。ビーム整形光学系１１４は、後述する多光束発生手段としてのハエの目レンズ１２０を照明するのに必要な大きさと発散角を持つ光束を形成する。
【００２１】
偏光制御手段１０８は、直線偏光子などから構成され、不要な偏光成分を除去する機能を有する。ＡｒＦエキシマレーザーなどのレーザーを光源１が使用する場合、射出される光束はほぼ直線偏光となっており、引き回し光学系１０４によって多少の偏光面の乱れが生じたとしても、直線偏光が支配的な光束として偏光制御手段１０８に入射する。偏光制御手段１０８は、透過可能な直線偏光方向と入射光束の支配的な偏光方向を一致させるようにし、入射光束が不要な偏光成分を有している場合にこれを除去する機能を有する。偏光制御手段１０８にて遮光される偏光を最小限とすることで，効率良く所望の直線偏光を取り出すことができる。
【００２２】
位相調整手段１１０は、偏光制御手段１０８によって直線偏光となった光束を位相調整手段５により円偏光に変換する。位相調整手段１１０は、直線偏光を円偏光又はほぼ円偏光に変換する位相板として機能し、図２に示すように、２枚の水晶から成る水晶ブロック１１２と、ウェッジ型水晶板１１４及びこの水晶板１１４を微動させる微動機構１１６とを有する。水晶ブロック１１２とウェッジ型水晶板１１４とは、複屈折性結晶であり、その光学軸は同一方向に揃えてある。微動機構１１６は、マイクロメータヘッド等から構成される。ここで、図２は、位相調整手段１１０及びその近傍の光路を示す概略ブロック図である。同図において、参照符号１０８の両側上側にある線は
、模式的な光束の偏光状態を示している。１０８の左側の線は偏光方向が紙面に平行であることを示しており、黒丸は紙面に垂直な偏光成分が存在することを示している。これは上述の「不要な偏光成分」に相当する。光束が偏光制御手段１０８を通過すると偏光制御手段１０８の右側の紙面に平行な偏光成分のみが位相調整手段１１０に入射し，１１０の右側で円偏光になっていることを示している。位相調整手段１１０と射出角度保存光学素子１２０の回転矢印は円偏光を示している。なお、これは単なる一実施例であって位相調整手段１１０の左側で偏光方向が紙面に平行であることは必須の要件ではない。
【００２３】
後述する制御系からの制御信号から微動量の情報を与えられた後述するドライバ１１８により，微動機構１１６がウェッジ型水晶板１１４を上下に微動させることで光束が通過する水晶部分の厚みを変化させている。これにより位相調整手段１１０を透過する偏光に対して所望の位相差を与えて偏光状態を変更することができる。本実施例の位相調整手段１１０は、入射光にλ／４の位相差を与え、入射する直線偏光を円偏光として射出するようにように調整されている。位相調整手段１１０は、後述するように、光学系で発生した位相ずれによる影響により所望の偏光状態の有効光源分布が得られない場合に、その位相ずれ量をキャンセルするように位相の調整を行うことができる。
【００２４】
射出角度保存光学素子１２０は、光束を一定の発散角度で射出し、本実施形態では、マイクロレンズアレイから構成される。リレー光学系１２４は、射出角度保存光学素子１２０の射出光を多光束発生手段１３０に集光する。
【００２５】
射出角度保存光学素子１２０の射出面と多光束発生手段１３０の入射面は、リレー光学系１２４により互いにフーリエ変換面の関係（物体面と瞳面又は瞳面と像面の関係）となっている。図２に示す射出角度１２２はマイクロレンズアレイを構成するレンズ素子の射出ＮＡで固定されていることから、入射光束の光軸が変動したとしても、多光束発生手段１３０の入射面に入射する光束の分布１２６は面内で常に同じ位置に固定され、ケーラー照明条件により多光束が重畳されて均一な照度分布となっている。また，均一照明領域１２６の形状は、射出角度保存光学素子１２０を構成する微小レンズの外形状と相似である。本実施例においては、射出角度保存光学素子１２０は、ハニカム構造を持つマイクロレンズアレイであるので、照明領域１２６はほぼ正六角形形状をしている．
多光束発生手段１３０は、オプティカルインテグレータ（複数の微小レンズより構成されるハエの目レンズやファイバー束等）からなり、その射出面は複数の点光源から成る光源面を形成している。各微小レンズは回折光学素子で形成されていてもよいし、基板上にエッチング加工で形成されたマイクロレンズアレイでもよい。本実施例において多光束発生手段とは、複数の光学軸を有し、且つ、各々の光学軸を中心として有限な面積の領域を有し、各々の領域において各々１つの光束が特定できるような光学素子をいう。
【００２６】
図２に示すように、多光束発生手段１３０から円偏光で射出される光束の射出角度１３４は、レンズ素子の射出ＮＡで固定されていることから一定である。各レンズ素子から所望の射出角度１３４で射出された光束は、円偏光として回折光学素子１４０に導入される。この時、回折光学素子１４０は、光束の収束点１３２の位置から少し外れた位置に配置されて発散角１３４を持つ入射光束で照明される。その状態を、図３を参照して説明する。
【００２７】
図３（ａ）及び図３（ｂ）は、回折光学素子１４０に対する入射光の状態を説明する図である．図３（ａ）及び図３（ｂ）において、１４２は石英などの基板の表面に微細な階段形状が形成されている回折光学素子面である。１４３及び１４４は光スポットの一つであり、多光束発生手段１３０がハニカム構造を持つマイクロレンズアレイの場合の、一つのレンズ素子からの光束を示している。つまり光スポット１４３及び１４４が多数集まった光束が、回折光学素子１４０に入射する光束となる。
【００２８】
光スポット１４３及び１４４の大きさは、図２における回折光学素子１４０と集光点１３２との相対距離によって変動する。この相対距離を大きくすることによって、例えば、図３（ｂ）に示すように、光スポット１４４のサイズを大きくとることによって、回折光学素子面１４２上で各スポットが互いに重なり合う構成としてもよい。このように、回折光学素子１４０と集光点１３２の相対距離を設定することにより、回折光学素子面１４２上でのエネルギー集中による部材の破損を防ぐことができる。
【００２９】
回折光学素子１４０は、本実施例では、位相型の計算機ホログラム（Ｃｏｍｐｕｔｅｒ Ｇｅｎｅｒａｔｅｄ Ｈｏｌｏｇｒａｍ： ＣＧＨ）であり、基板表面上に階段状の凹凸構造を有する。ＣＧＨは、物体光と参照光との干渉による干渉縞パターンを計算して描画装置により直接出力することで作られるホログラムである。再生光として所望の照度分布を得るための干渉縞形状はコンピュータによる反復計算を用いて最適化することで容易に求めることができる。
【００３０】
図４（ａ）はそうして作成された位相型ＣＧＨの正面図、図４（ｂ）は、図４（ａ）の矢印位置における概略断面図である。図４（ａ）は、基板上の凹凸により形成される位相分布を濃淡分布１４５として表現している。断面１４６のような階段状断面は、その作製に半導体素子の製造技術が適用可能となり、微細なピッチも比較的容易に実現することができる。
【００３１】
回折光学素子１４０の再生像として得られる所望の照度分布（有効光源分布）は、図５（ａ）に示す輪帯分布、図５（ｂ）に示す四重極分布、図５（ｃ）に示す二重極分布など、露光しようとするパターンに対して好適な分布を含むが、これらに限定されるものではない。これらの照度分布は図１のアパーチャ１０ａに再生像として生成され、ズーム光学系１５６により所望の倍率に変倍して多光束発生光学系１７０の入射面に投影される。この結果、変形照明を提供し、解像性能の向上を達成する。本実施例は、位相型の回折光学素子１４０に円偏光を入射し、回折では偏光面は保持されるので、有効光源分布は円偏光からなる光束により形成されている。また、図５（ａ）乃至図５（ｃ）に示す有効光源分布を形成する複数個の回折光学素子を、図１のターレット１４１のような切り替え手段により切り替えることによって、照明条件を容易に変更することが可能である。なお、通常照明時において偏光制御する必要がない場合は，位相変換素子１６０を切替によって外してもよい。
リレー光学系１５０は、回折光学素子１４０により、計算された振幅変調ないしは位相変調を受けて回折した光束を、アパーチャ１５２に強度がほぼ均一な有効光源分布１５４を形成する。回折光学素子１４０とアパーチャ１５２の位置は、互いにフーリエ変換面の関係になるように配置されており、この関係により、回折光学素子１４０の任意の一点から発散した光は有効光源分布１５４全体に寄与する。即ち、図３（ａ）及び図３（ｂ）において、光スポット１４３及び１４４を形成する任意の光束によって、スポット照射位置に関係なく、図５（ａ）乃至図５（ｃ）の変形照明に好適な有効光源分布１５４がアパーチャ１５２に形成される。
【００３２】
図２で示すように、ＣＧＨ１４０に入射する光束は広がり角１３４を有し、その角度に応じて有効光源分布１５４に若干のボケが生じる。しかし、そのボケ量は広がり角１３４により定義され、それを見込んで所望の有効光源分布１５４を形成するように、回折光学素子１４０を設計する。有効光源分布１５４は、ズーム光学系１５６により所望の倍率で変倍されて、多光束発生手段１７０の入射面上に位相変換素子１６０を介して均一光源像として投影される。
【００３３】
以下、有効光源分布１５４が図５（ａ）に示す輪帯照明である場合に位相変換素子１６０を使用して、均一光源像を形成する光束の偏光方向をタンジェンシャル方向（図８の１６８に示す偏光方向）に効率良く変換する方法について説明する。なお、タンジェンシャル方向の偏光照明とは、被照射面を照明する入射面に対して直交した方向の直線偏光からなる照明光で被照射面を照明することをいう。
【００３４】
図６は、多光束発生手段１７０の入射面近傍に配置された位相変換素子１６０の概略正面図である。本実施例の位相変換素子１６０は、中心角４５°のλ／４位相板（但し、露光波長をλとする）１６２を８枚並べた構成となっており、輪帯状の有効光源分布１６１は、有効光源分布１５４をズーム光学系１５６で所望の倍率に変更して射出された光束が位相変換素子１６０の入射側に形成する分布である。
【００３５】
λ／４位相板１６２は、例えば、水晶のような複屈折性結晶からなり、図７に示すように、その光学軸をｚ方向にとってｙ方向に円偏光１６３が入射するとｚ方向に振動する成分（異常光線）とｘ軸方向に振動する成分（常光線）の間にλ／４波長（π／２）の位相差が生じる。これによりｘｚ平面内で方位角４５°の方向、即ち、方向１６４に振動する直線偏光１６５が得られる。λ／４位相板１６２は、図７に示すように、所望の位相差に対応した複屈折結晶の厚さを有し、頂角１６６を４５°とする二等辺三角形の形状として切り出される。頂角１６６が真下にある時に直線偏光１６５が水平方向成分を持つように、光学軸ｚを設定する。位相変換素子１６０は、λ／４位相板１６２を、頂角１６６を中心に放射状に配置して適切な枠で固定することによって形成される。
【００３６】
輪帯状の有効光源分布１５４は、回折光学素子１４０に円偏光を入射することによって形成された像（照度分布）であり、図５を参照して説明したように、円偏光によって構成される。従って、位相変換素子１６０の入射側に形成される輪帯像を、図８に示すように、模式的に表わすと、ズーム光学系１５６による輪帯状の照度分布の各λ／４位相板１６２の領域に入射する光束は、矢印に示すように、円偏光１６７である。かかる円偏光１６７の入射光が位相変換素子１６０を通過すると、図８で示すように、多光束発生手段１７０に入射する光束は、矢印に示すように、タンジェンシャル方向（輪帯の接線方向）に偏光成分を持つ直線偏光１６８となる。
【００３７】
変形照明のための有効光源分布としては、図５（ｂ）や図５（ｃ）に示すように、二重極や四重極分布がある。図１０（ａ）及び図１０（ｂ）は有効光源分布が二重極の場合を示し、図１０（ａ）は図８における左下の図に対応し、図１０（ｂ）は図８における右下の図に対応する。図１０（ｃ）及び図１０（ｄ）は有効光源分布が四重極の場合を示し、図１０（ｃ）は図８における左下の図に対応し、図１０（ｄ）は図８における右下の図に対応する。上述したように、このような分布が再生されるように設計・製作したＣＧＨをターレット１４１に搭載すれば、必要な時に切り替えて使用することができる。
【００３８】
多光束発生手段１７０は、オプティカルインテグレータ（複数の微小レンズより構成されるハエの目レンズやファイバー束等）からなり、その射出面は複数の点光源から成る光源面を形成している。各微小レンズは回折光学素子で形成されていてもよいし、基板上にエッチング加工で形成されたマイクロレンズアレイでもよい。
【００３９】
図８を参照するに、多光束発生手段１７０の入射面上に所望の均一光源像１６８が投影されると、その有効光源分布はそのまま射出面１７４に転写される。多光束発生手段１７０の射出側には輪帯形状の光源像に対応した開口絞り１７２が配置されているので、２次光源分布のみが開口絞り１７２の開口部を通過でき、その偏光成分はタンジェンシャル方向１６８に分布している。同時に不要光は開口絞り１７２により遮光されるようになっている．
図１に戻って、制御系は、ドライバ１１８と、ハーフミラー１７６と、集光光学系１７８と、偏光度監視系１８０とを有する。ドライバ１１８は、図１及び図２に示すように、位相調整手段１１０を上下移動し、これにより、位相調整手段１１０を通過する光束に所望の位相差を与えて偏光状態を変更することができる。ハーフミラー１７６は、多光束発生手段１７０の光束を一部折り曲げる。集光光学系１７８は、ハーフミラー１７６が折り曲げた光束を集光する。偏光度監視系１８０は、集光光学系１７８からの光に基づいてドライバ１１８の移動量を決定・制御し、ピンホール１８２と、集光光学系１８４と、センサーユニット１８６とを有する。ピンホール１８２は集光光学系１７８の焦平面に配置され、マスク２００の被照射面とは共役に配置される。集光光学系１８４は、ピンホール１８２を通過する光束をセンサーユニット１８６に導光する。センサーユニット１８６は、複数の直線偏光子と、受光素子と、演算処理部とを有する。センサーユニット１８６内の複数の入射面と開口絞り１７２とは互いに共役な関係を有する。なお、ドライバ１１８の移動量を演算する部分はドライバ１１８と一体であってもよい。
【００４０】
マスク２００は、例えば、石英製で、その上には転写されるべき回路パターン（又は像）が形成され、図示しないマスクステージに支持及び駆動される。マスクから発せられた回折光は、投影光学系３００を通りプレート４００上に投影される。マスク２００とプレート４００は、光学的に共役の関係にある。本実施形態の露光装置１はスキャナーであるため、マスク２００とプレート４００を縮小倍率比の速度比でスキャンすることによりマスク２００のパターンをプレート４００上に転写する。なお、ステップ・アンド・リピート方式の露光装置（「ステッパー」とも呼ばれる。）の場合は、マスク２００とプレート４００を静止させた状態で露光が行われる。
【００４１】
投影光学系３００は、複数のレンズ素子のみからなる光学系、複数のレンズ素子と少なくとも一枚の凹面鏡とを有する光学系（カタディオプトリック光学系）、複数のレンズ素子と少なくとも一枚のキノフォームなどの回折光学素子とを有する光学系、全ミラー型の光学系等を使用することができる。色収差の補正が必要な場合には、互いに分散値（アッベ値）の異なるガラス材からなる複数のレンズ素子を利用したり、回折光学素子をレンズ素子と逆方向の分散が生じるように構成したりする。また，解像度の更なる向上を目的として、プレート４００と投影系の像側光学レンズ最終面との間に、液体を満たすことでＮＡを１以上として露光する、いわゆる液浸露光方法に対応する投影系であってもよい。
【００４２】
プレート４００は、ウェハや液晶基板などの被処理体でありフォトレジストが塗布されている。プレート４００は図示しないチャックを介して図示しないステージに載置される。マスク２００とプレート４００は、例えば、同期走査され、図示しないステージとマスクステージの位置は、例えば、干渉計を利用して監視され、両者は一定の速度比率で駆動される。
【００４３】
以下、露光装置１の動作について説明する。光源部１０２から出射した直線偏光からなる光束は引き回し光学系１０４により、ビーム整形光学系１０６に入射する。ビーム整形光学系１０６に入射した光束は、所定の形状に整形され、次いで、偏光制御手段１０８によって不要な直線偏光が除去される。次に、位相調整手段１１０によって直線偏光は円偏光に偏光され、次いで、射出角度保存光学素子１２０によって複数の点光源に分割される。次に、射出角度保存光学素子１２０を経た光束は、リレー光学系１２４を経て円偏光として多光束発生手段１３０に入射する。
【００４４】
多光束発生手段１３０から円偏光で射出される光束は射出ＮＡを維持したまま円偏光として回折光学素子１４０に入射し、所望の変形照明に変換される。回折光学素子１４０によって振幅変調又は位相変調された回折光はリレーレンズ１５２を介してアパーチャ１５２に有効光源分布１５４を形成する。次いで、有効光源分布１５４は、ズーム光学系１５６によって変倍されて位相変換素子１６０によって直線偏光に変換されて多光束発生手段１７０に入射する。
【００４５】
多光束発生手段１７０を構成する各微小レンズ素子からの射出光束を、照射手段１７７によりマスク２００の被照射面に重畳して照射することで被照射面上を全体的に均一な照度分布となるように、例えば、ケーラー照明する。マスク２００はマスクステージ上に置かれ、スキャンタイプの露光装置では露光に応じて駆動される。マスク２００を通過してマスクパターンを反映する光は、投影光学系３００により投影倍率（例えば、１／４、１／５）で図示しないウェハチャックによってステージに固定されたプレート４００に結像される。ウェハチャックはウェハステージ上に配され、露光に応じて駆動される。投影光学系３００は、収差が補正されているので高品位な露光処理（即ち、所望の解像度）をプレート４００上で得ることができる。
【００４６】
位相変換素子１６０は、位相を変換しているだけで、フィルタのように遮光していないために照度の低下がなく、スループットの低下を防止する。また、変形照明により、高解像度な露光を行うことができる。更に、有効光源分布において偏光がタンジェンシャル方向に直線偏光となっているため、像コントラストは改善する。
【００４７】
なお、照明光学系を構成する光学部品の製造誤差や光路中の硝材あるいは反射防止膜の微小な複屈折性等の影響により、中心軸に対象な位相ズレが生じて、前記タンジェンシャル直線偏光がわずかに楕円偏光になってしまう場合がある。かかる場合に位相調整手段１１０及び制御系が位相を調整することによって偏光度を調節する。即ち、多光束発生手段１７０を構成する各微小レンズ素子からの出射光束の一部（数％程度）をハーフミラー１７６によって取り出し、集光光学系１７８により偏光度監視系１８０のピンホール１８２面上に集光する。ピンホール１８２とマスク２００の被照射面は互いに共役関係に配置されているので、ピンホール１８２面上には均一な照明領域が形成される。また、センサーユニット１８６の入射面が開口絞り１７２と共役であるので、有効光源分布はセンサーユニット１８６の入射面に形成される。この結果、センサーユニット１８６は有効光源分布内の複数位置で偏光度を測定し、所望のタンジェンシャル方向の直線偏光とは異なる成分の強度を測定する。
【００４８】
測定により検出された信号は，センサーユニット１８６に内蔵された演算処理部により処理されて微動量を算出してドライバ１１８に送信される。これに応答して、ドライバ１１８は、位相調整手段１１０が位相ズレを打ち消すような位相差を与えるように位相調整手段１１０を駆動する。この結果、タンジェンシャル方向の偏光をほぼ直線偏光になるように調整することができる。
【００４９】
偏光度監視系１８０は、ハーフミラー１７６及び集光光学系１７８により、露光中に光束の一部を取り出しているが、露光前後にのみハーフミラー１７６を光路中に挿入して偏光度を測定し、露光中は光路外に移動させて光束の一部を取り出さないようにしてもよい。また、露光前後にマスク２００の被照射面を移動して、この位置に偏光度監視系１８０を配置して偏光度を測定してもよい。
【００５０】
照明装置１００は、マスク２００の被照射面が全体的に均一な照度分布となるように照明しているが、多光束発生手段１７０の射出面の各微小領域からの射出光束の射出角度を２方向で異なる角度とすることで被照射面上をスリット状に照明する構成とし、このスリット状の露光領域を走査することでプレート４００を露光してもよい。
光源１０２からの光束が外乱により微小変動しても、図２に示したように、射出角度保存光学素子１２０からの光束の射出角度１２２は保存されるので、多光束発生手段１３０への入射光束の位置は変化しない。即ち、照度分布１２６の位置は固定される。更に、多光束発生手段１３０からの光束の射出角度１３４も固定されていることから、実質的に回折光学素子１４０への入射光束には変動が無い。従って、マスク２００の被照射面上の照度分布への影響も無視できる程度に小さくなる。この結果、照明装置１００は、光源からの光束の変動に対して非常に安定した系となっている。
【００５１】
このように、照明装置１００により、光源からの光束の変動があっても照明領域に影響を与えず、また、ＣＧＨによって任意の変形照明のための照度分布を形成する。また、照明装置１００は、任意の変形照明条件に対して照明効率を落とすことなくタンジェンシャル方向に直線偏光化することができる。更に、照明装置１００は、照明光学系を構成する光学要素が偏光に与える位相ズレの影響を除去して直線偏光の偏光度を高めて像コントラストを改善することができる。
【００５２】
次に、図１０及び図１１を参照して、露光装置１を利用したデバイス製造方法の実施例を説明する。図１０は，半導体デバイス（ＩＣやＬＳＩ等の半導体チップ、あるいは液晶パネルやＣＣＤ等）の製造を説明するためのフローチャートである。ステップ１（回路設計）では、半導体デバイスの回路設計を行う。ステップ２（マスク製作）では、設計した回路パターンを形成したマスクを製作する。一方、ステップ３（ウェハ製造）では、シリコン等の材料を用いてウェハを製造する。ステップ４（ウェハプロセス）は、前工程と呼ばれ、上記用意したマスクとウェハを用いて、リソグラフィ技術によってウェハ上に実際の回路を形成する。次のステップ５（組み立て）は後工程と呼ばれ、ステップ４によって作製されたウェハを用いて半導体チップ化する工程であり，アッセンブリ工程（ダイシング、ボンディング）、パッケージング工程（チップ封入）等の工程を含む。ステップ６（検査）では，ステップ５で作製された半導体デバイスの動作確認テスト、耐久性テスト等の検査を行う。こうした工程を経て半導体デバイスが完成し、これが出荷（ステップ７）される。
【００５３】
図１１は、図１０のステップ４のウェハプロセスの詳細なフローチャートである。ステップ１１（酸化）では、ウェハの表面を酸化させる。ステップ１２（ＣＶＤ）では、ウェハ表面に絶縁膜を形成する。ステップ１３（電極形成）では、ウェハ上に電極を蒸着等によって形成する。ステップ１４（イオン打ち込み）ではウェハにイオンを打ち込む。ステップ１５（レジスト処理）ではウェハに感光材を塗布する。ステップ１６（露光）では、露光装置１０によってマスクパターンをウェハに露光する。ステップ１７（現像）では露光したウェハを現像する。ステップ１８（エッチング）では，現像したレジスト像以外の部分を削り取る。ステップ１９（レジスト剥離）では，エッチングが済んで不要となったレジストを取り除く。これらのステップを繰り返し行うことによって、ウェハ上に多重に回路パターンが形成される。本実施形態の製造方法を用いれば、投影光学系１６０の結像性能を迅速かつ簡易に取得することができるので、露光のスループットも低下せず、また、波面収差が高精度に補正された投影光学系１６０を使用することができるので、従来は製造が難しかった高解像度のデバイス（半導体素子、ＬＣＤ素子、撮像素子（ＣＣＤなど）、薄膜磁気ヘッドなど）を経済性及び生産性よく製造することができる。また、このように、露光装置１００を使用するデバイス製造方法、並びに結果物（中間、最終生成物）としてのデバイスも本発明の一側面を構成する。
【図面の簡単な説明】
【００５４】
【図１】本発明の照明装置を備えた露光装置の概略ブロック図である。
【図２】図１に示す照明装置の位相調整手段及びその近傍の光路図である。
【図３】図１に示す回折光学素子の概略正面図である。
【図４】図１に示す回折光学素子の位相分布と概略断面図である。
【図５】図１に示す回折光学素子が生成する照度分布の例である。
【図６】図１に示す位相変換素子の概略平面図である。
【図７】図６に示す位相変換素子の構成要素の概略拡大斜視図である。
【図８】図１に示す位相変換素子の入射面と射出面の偏光状態を説明するための概略図である。
【図９】図８に示す位相変換素子の入射面と射出面の偏光状態の変形例を説明するための概略図である。
【図１０】デバイス（ＩＣやＬＳＩなどの半導体チップ、ＬＣＤ、ＣＣＤ等）の製造を説明するためのフローチャートである。
【図１１】図１０に示すステップ４のウェハプロセスの詳細なフローチャートである。
【符号の説明】
【００５５】
１                            露光装置
１００                        照明装置
１１０                        位相調整手段
１４０                        回折光学素子
１６０                        位相変換素子
１７２                        開口絞り
２００                        マスク（レチクル）
【図１】
2005268489.tif 000004
【図２】
2005268489.tif 000005
【図３】
2005268489.tif 000006
【図４】
2005268489.tif 000007
【図５】
2005268489.tif 000008
【図６】
2005268489.tif 000009
【図７】
2005268489.tif 000010
【図８】
2005268489.tif 000011
【図９】
2005268489.tif 000012
【図１０】
2005268489.tif 000013
【図１１】
2005268489.tif 000014